(57)【要約】【課題】使用者の上腕全体や前腕全体の筋肉を強化することができるのみならず、上腕や前腕の特定の筋肉を個別に強化することができる水中トレーニング・リハビリ運動器具を提供する。【解決手段】水中トレーニング・リハビリ運動器具１０Ａは、水圧が作用する所定面積の抵抗ベース１１と、抵抗ベース１１につながって使用者が把持するハンドグリップ１２とを有する。抵抗ベース１１は、その外周縁１７近傍からハンドグリップ１２に向かって縦方向へ延びる所定面積の第１〜第５開口エリア１５ａ〜１５ｅと、それら開口エリア１５ａ〜１５ｅの開口面積を全開から全閉まで可変させる第１〜第５抵抗可変プレート１６ａ〜１６ｅとを備えている。【選択図】図１
2016063893.tif 000002
【特許請求の範囲】
【請求項１】
水圧が作用する所定面積の抵抗ベースと、前記抵抗ベースにつながって使用者が把持するハンドグリップとを有し、前記抵抗ベースを水中に入れた状態で該抵抗ベースを揺動させることで前記使用者の腕を強化しまたは腕の機能を回復させる水中トレーニング・リハビリ運動器具において、
前記抵抗ベースが、該抵抗ベースの外周縁近傍から前記ハンドグリップに向かって縦方向へ延びる所定面積の複数の開口エリアと、それら開口エリアの開口面積を全開から全閉まで可変させる抵抗可変プレートとを備え、それら開口エリアが、前記外周縁に沿って横方向へ並んでいることを特徴とする水中トレーニング・リハビリ運動器具。
【請求項２】
それら開口エリアが、前記抵抗ベースの中央部に開口する第１開口エリアと、前記第１開口エリアの横方向両側に開口する第２および第３開口エリアと、前記第２開口の横方向外側に開口する第４開口エリアと、前記第３開口の横方向外側に開口する第５開口エリアとから形成され、前記抵抗可変プレートが、前記第１〜第５開口エリアの開口面積を可変する第１〜第５抵抗可変プレートから形成され、前記第１〜第５開口エリアの全開時の開口面積が、第１〜第３開口エリア＞第４および第５開口エリアである請求項１に記載の水中トレーニング・リハビリ運動器具。
【請求項３】
前記第１開口エリアが、前記抵抗ベースを横方向へ二分する仮想縦中心線に対して面対称であり、前記第２および第３開口エリアが、前記仮想縦中心線に対して対称に位置し、前記第４および第５開口エリアが、前記仮想縦中心線に対して対称に位置している請求項２に記載の水中トレーニング・リハビリ運動器具。
【請求項４】
前記抵抗ベースの面積が、３０００〜５２００ｃｍ２の範囲にあり、前記第１〜第５開口エリアの開口面積が、前記抵抗ベースの面積に対して５〜８％の範囲にある請求項２または請求項３に記載の水中トレーニング・リハビリ運動器具。
【請求項５】
前記抵抗ベースが、前記第１開口エリアの縦方向先端につながって前記外周縁から縦方向外方へ向かって開口する第１スリットと、前記第２開口エリアの縦方向先端につながって前記外周縁から縦方向外方へ向かって開口する第２スリットと、前記第３開口エリアの縦方向先端につながって前記外周縁から縦方向外方へ向かって開口する第３スリットと、前記第４開口エリアの縦方向先端につながって前記外周縁から縦方向外方へ向かって開口する第４スリットと、前記第５開口エリアの縦方向先端につながって前記外周縁から縦方向外方へ向かって開口する第５スリットとを有する請求項２ないし請求項４いずれかに記載の水中トレーニング・リハビリ運動器具。
【請求項６】
それら開口エリアが、前記抵抗ベースの中央部に開口する第１開口エリアと、前記第１開口エリアの横方向両側に開口する第２および第３開口エリアとから形成され、前記抵抗可変プレートが、前記第１〜第３開口エリアの開口面積を可変する第１〜第３抵抗可変プレートから形成され、前記第１〜第３開口エリアの全開時の開口面積が、第２および第３開口エリア＞第１開口エリアである請求項１に記載の水中トレーニング・リハビリ運動器具。
【請求項７】
前記第１開口エリアが、前記抵抗ベースを横方向へ二分する仮想縦中心線に対して面対称であり、前記第２および第３開口エリアが、前記仮想縦中心線に対して対称に位置している請求項６に記載の水中トレーニング・リハビリ運動器具。
【請求項８】
前記抵抗ベースの面積が、３０００〜５２００ｃｍ２の範囲にあり、前記第１開口エリアの開口面積が、前記抵抗ベースの面積に対して５〜８％の範囲にあり、前記第２および第３開口エリアの開口面積が、前記抵抗ベースの面積に対して１０〜２５％の範囲にある請求項６または請求項７に記載の水中トレーニング・リハビリ運動器具。
【請求項９】
前記抵抗ベースが、前記第１開口エリアの縦方向先端につながって前記外周縁から縦方向外方へ向かって開口する第１スリットと、前記第２開口エリアの縦方向先端につながって前記外周縁から縦方向外方へ向かって開口する第２スリットと、前記第３開口エリアの縦方向先端につながって前記外周縁から縦方向外方へ向かって開口する第３スリットとを有する請求項６ないし請求項８いずれかに記載の水中トレーニング・リハビリ運動器具。
【請求項１０】
前記抵抗ベースが、所定面積の前面および後面と、前記外周縁に沿って前記前面から縦横方向と交差する前後方向前方へ延びる第１抵抗フランジと、前記外周縁に沿って前記後面から縦横方向と交差する前後方向後方へ延びる第２抵抗フランジとを有する請求項１ないし請求項９いずれかに記載の水中トレーニング・リハビリ運動器具。
【請求項１１】
前記抵抗可変プレートが、その両側縁に形成されて該側縁から横方向外方へ凸となる凸部と、前記凸部を横方向外方へ付勢する付勢手段とを有し、前記抵抗ベースが、前記可変プレートの両側縁を支持して該可変プレートを摺動可能にスライドさせる案内レールと、前記案内レールに形成されて縦方向へ交互に並ぶ複数の凸部および凹部とを有し、前記水中トレーニング・リハビリ運動器具では、前記可変プレートの凸部が前記案内レールの凸部に乗り上げると、前記可変プレートの凸部が前記付勢手段に抗して横方向内方へ移動し、前記可変プレートの凸部が前記案内レールの凸部を乗り越えて該案内レールの凹部に位置すると、前記可変プレートの凸部が前記付勢手段によって横方向外方へ移動して前記案内レールの凹部に嵌入することで、前記可変プレートによってそれら開口エリアの開口面積を段階的に変更可能である請求項１ないし請求項１０いずれかに記載の水中トレーニング・リハビリ運動器具。
【請求項１２】
前記付勢手段が、前記抵抗可変プレートの側縁の内側に作られたスリットによって画成されて該スリットの両端の間に延びる弾性変形可能な板ばねであり、前記凸部が、前記板ばねの略中央に作られている請求項１１に記載の水中トレーニング・リハビリ運動器具。
【請求項１３】
前記抵抗ベースが、その縦方向下方に形成されて横方向へ延びる手挿入開口を有し、前記ハンドグリップが、前記手挿入開口を挟んで前記抵抗ベースの反対側に形成され、前記抵抗ベースの前面の側に位置して該ハンドグリップの横方向中央から横方向外方へ延びていて前記横方向中央を中心に縦横方向へ旋回可能な第１旋回ロッドと、前記抵抗ベースの後面の側に位置して該ハンドグリップの横方向中央から横方向外方へ延びていて前記横方向中央を中心に縦横方向へ旋回可能な第２旋回ロッドとを有し、前記水中トレーニング・リハビリ運動器具では、前記第１および第２旋回ロッドが横方向へ旋回した状態から前記横方向中央を中心に該第１および第２旋回ロッドを縦方向へ旋回させてそれら旋回ロッドを対向させることで縦方向へ延びる縦長ハンドグリップを形成し、縦方向へ旋回させた前記第１および第２旋回ロッドを横方向へ旋回させることで横方向へ延びる横長ハンドグリップを形成する請求項１ないし請求項１２いずれかに記載の水中トレーニング・リハビリ運動器具。
【請求項１４】
前記抵抗ベースが、前記使用者の手を該抵抗ベースに向かって押し付けるバンドを有し、前記バンドが、前記ハンドグリップの横方向両側に位置する前記抵抗ベースの一側部と他側部との間を横方向へ延びていて前記使用者の手の甲に密着する第１バンドと、前記第１開口エリアと前記手挿入開口との間において横方向へ延びていて前記使用者の中指に密着する第２バンドとから形成されている請求項１３に記載の水中トレーニング・リハビリ運動器具。
【請求項１５】
前記抵抗ベースの外周縁が、前記ハンドグリップから前記開口エリアに向かって凸となるように弧を画いている請求項１ないし請求項１４いずれかに記載の水中トレーニング・リハビリ運動器具。
【発明の詳細な説明】
【技術分野】
【０００１】
本発明は、使用者の腕を強化しまたは使用者の腕の機能を回復させる水中トレーニング・リハビリ運動器具に関する。
【背景技術】
【０００２】
本体と、本体の一端側に上下方向へ旋回可能に設置された握持部と、本体の両側における上部に設置され、凸座と凸座の内部にその長手方向に沿って一方向のみに開口している収納空間とを有する上部位置決め板と、本体の両側における下部に設置された下部位置決め板と、収容空間の内部に設置された付勢力調整装置とを備えた腕力訓練器具が開示されている。
【０００３】
腕力訓練器具では、本体における凸座の外周面に長手方向に沿って階段状に調整空間が形成されるとともに、調整空間内に複数の段階部が形成され、各段階部に位置決め凹部が形成されており、凸縁が設けられる管体の外周面に本体における調整空間に対応しつつ所定幅を有する凸ブロックが設けられ、その凸ブロックが管体の収納空間内での移動に連動して調整空間内の各段階部に位置し、管体に設けられる凸ブロックを常時に収納空間内に位置させる固定ナットが凸座における収納空間の開口端に螺着されている。
【先行技術文献】
【特許文献】
【０００４】
【特許文献１】特開２００４−８３４９号公報
【発明の概要】
【発明が解決しようとする課題】
【０００５】
腕や手を使用するスポーツにおいて前腕の各筋肉（上腕橈骨筋、橈側手根屈筋、長手掌筋、浅指屈筋、尺側手根屈筋、長側手根屈筋、短橈側手根伸筋、総指伸筋等）は重要な役割を果たし、目的に応じてそれらを個別に鍛えることは、各スポーツの技術や技能を向上させるために必須である。手や腕の筋肉を鍛える方法としては、負荷や抵抗に抗して筋肉を伸縮させる、いわゆる筋力トレーニングが一般的である。
【０００６】
前記特許文献１に開示の腕力訓練器具は、使用者が握持部を手で把持し、付勢力調整装置の付勢力に抗して握持部を上下に旋回させることで、腕の筋肉を伸縮させて腕の筋力を強化する。しかし、特許文献１に開示の腕力訓練器具は、腕のうちの長掌筋や上腕橈骨筋、浅指屈筋を強化することはできるが、前腕や上腕のうちの特定の筋肉のみの鍛錬を目的とした複雑なトレーニングに使用することはできない。また、故障した腕の特定の部位のトレーニングやリハビリを行うことはできず、障害者の腕の障害が残る特定の部位のトレーニングやリハビリを行うことはできない。
【０００７】
本発明の目的は、上腕全体や前腕全体の筋肉を強化することができるのみならず、上腕や前腕の特定の筋肉を個別に強化することができる水中トレーニング・リハビリ運動器具を提供することにある。本発明の他の目的は、故障した腕の特定の部位のリハビリを行うことができ、障害者の腕の障害が残る特定の部位のリハビリを行うことができる水中トレーニング・リハビリ運動器具を提供することにある。
【課題を解決するための手段】
【０００８】
前記課題を解決するための本発明の前提は、水圧が作用する所定面積の抵抗ベースと、抵抗ベースにつながって使用者が把持するハンドグリップとを有し、抵抗ベースを水中に入れた状態で抵抗ベースを揺動させることで使用者の腕を強化しまたは腕の機能を回復させる水中トレーニング・リハビリ運動器具である。
【０００９】
前記前提における本発明の特徴は、抵抗ベースが、その外周縁近傍からハンドグリップに向かって縦方向へ延びる所定面積の複数の開口エリアと、それら開口エリアの開口面積を全開から全閉まで可変させる抵抗可変プレートとを備え、それら開口エリアが外周縁に沿って横方向へ並んでいることにある。
【００１０】
本発明の一例は、それら開口エリアが、抵抗ベースの中央部に開口する第１開口エリアと、第１開口エリアの横方向両側に開口する第２および第３開口エリアと、第２開口の横方向外側に開口する第４開口エリアと、第３開口の横方向外側に開口する第５開口エリアとから形成され、抵抗可変プレートが第１〜第５開口エリアの開口面積を可変する第１〜第５抵抗可変プレートから形成され、第１〜第５開口エリアの全開時の開口面積が第１〜第３開口エリア＞第４および第５開口エリアである。
【００１１】
本発明の他の一例は、第１開口エリアが抵抗ベースを横方向へ二分する仮想縦中心線に対して面対称であり、第２および第３開口エリアが仮想縦中心線に対して対称に位置し、第４および第５開口エリアが仮想縦中心線に対して対称に位置している。
【００１２】
本発明の他の一例は、抵抗ベースの面積が３０００〜５２００ｃｍ２の範囲にあり、第１〜第５開口エリアの開口面積が抵抗ベースの面積に対して５〜８％の範囲にある。
【００１３】
本発明の他の一例は、抵抗ベースが、第１開口エリアの縦方向先端につながって外周縁から縦方向外方へ向かって開口する第１スリットと、第２開口エリアの縦方向先端につながって外周縁から縦方向外方へ向かって開口する第２スリットと、第３開口エリアの縦方向先端につながって外周縁から縦方向外方へ向かって開口する第３スリットと、第４開口エリアの縦方向先端につながって外周縁から縦方向外方へ向かって開口する第４スリットと、第５開口エリアの縦方向先端につながって外周縁から縦方向外方へ向かって開口する第５スリットとを有する。
【００１４】
本発明の他の一例は、それら開口エリアが、抵抗ベースの中央部に開口する第１開口エリアと、第１開口エリアの横方向両側に開口する第２および第３開口エリアとから形成され、抵抗可変プレートが第１〜第３開口エリアの開口面積を可変する第１〜第３抵抗可変プレートから形成され、第１〜第３開口エリアの全開時の開口面積が第２および第３開口エリア＞第１開口エリアである。
【００１５】
本発明の他の一例は、第１開口エリアが抵抗ベースを横方向へ二分する仮想縦中心線に対して面対称であり、第２および第３開口エリアが仮想縦中心線に対して対称に位置している。
【００１６】
本発明の他の一例は、抵抗ベースの面積が３０００〜５２００ｃｍ２の範囲にあり、第１開口エリアの開口面積が抵抗ベースの面積に対して５〜８％の範囲にあり、第２および第３開口エリアの開口面積が抵抗ベースの面積に対して１０〜２５％の範囲にある。
【００１７】
本発明の他の一例は、抵抗ベースが、第１開口エリアの縦方向先端につながって外周縁から縦方向外方へ向かって開口する第１スリットと、第２開口エリアの縦方向先端につながって外周縁から縦方向外方へ向かって開口する第２スリットと、第３開口エリアの縦方向先端につながって外周縁から縦方向外方へ向かって開口する第３スリットとを有する。
【００１８】
本発明の他の一例は、抵抗ベースが、所定面積の前面および後面と、外周縁に沿って前面から縦横方向と交差する前後方向前方へ延びる第１抵抗フランジと、外周縁に沿って後面から縦横方向と交差する前後方向後方へ延びる第２抵抗フランジとを有する。
【００１９】
本発明の他の一例は、抵抗可変プレートが、その両側縁に形成されて側縁から横方向外方へ凸となる凸部と、凸部を横方向外方へ付勢する付勢手段とを有し、抵抗ベースが、可変プレートの両側縁を支持して該可変プレートを摺動可能にスライドさせる案内レールと、案内レールに形成されて縦方向へ交互に並ぶ複数の凸部および凹部とを有し、水中トレーニング・リハビリ運動器具では、可変プレートの凸部が案内レールの凸部に乗り上げると、可変プレートの凸部が付勢手段に抗して横方向内方へ移動し、可変プレートの凸部が案内レールの凸部を乗り越えて案内レールの凹部に位置すると、可変プレートの凸部が付勢手段によって横方向外方へ移動して案内レールの凹部に嵌入することで、可変プレートによってそれら開口エリアの開口面積を段階的に変更可能である。
【００２０】
本発明の他の一例は、付勢手段が抵抗可変プレートの側縁の内側に作られたスリットによって画成されてスリットの両端の間に延びる弾性変形可能な板ばねであり、凸部が板ばねの略中央に作られている。
【００２１】
本発明の他の一例は、抵抗ベースがその縦方向下方に形成されて横方向へ延びる手挿入開口を有し、ハンドグリップが、手挿入開口を挟んで前記抵抗ベースの反対側に形成され、抵抗ベースの前面の側に位置してハンドグリップの横方向中央から横方向外方へ延びていて横方向中央を中心に縦横方向へ旋回可能な第１旋回ロッドと、抵抗ベースの後面の側に位置してハンドグリップの横方向中央から横方向外方へ延びていて横方向中央を中心に縦横方向へ旋回可能な第２旋回ロッドとを有し、水中トレーニング・リハビリ運動器具では、第１および第２旋回ロッドが横方向へ旋回した状態から横方向中央を中心に第１および第２旋回ロッドを縦方向へ旋回させてそれら旋回ロッドを対向させることで縦方向へ延びる縦長ハンドグリップを形成し、縦方向へ旋回させた第１および第２旋回ロッドを横方向へ旋回させることで横方向へ延びる横長ハンドグリップを形成する。
【００２２】
本発明の他の一例は、抵抗ベースが使用者の手を抵抗ベースに向かって押し付けるバンドを有し、バンドが、ハンドグリップの横方向両側に位置する抵抗ベースの一側部と他側部との間を横方向へ延びていて使用者の手の甲に密着する第１バンドと、第１開口エリアと手挿入開口との間において横方向へ延びていて使用者の中指に密着する第２バンドとから形成されている。
【００２３】
本発明の他の一例は、抵抗ベースの外周縁がハンドグリップから開口エリアに向かって凸となるように弧を画いている、
【発明の効果】
【００２４】
本発明にかかる水中トレーニング・リハビリ運動器具によれば、使用者がハンドグリップを把持しつつ抵抗ベースを水中に入れた状態で抵抗ベースを水中で前後に揺動させることで、抵抗ベースに所定の水圧（水の抵抗）が作用するから、使用者の上腕全体や前腕全体の筋肉を強化することができることはもちろん、抵抗可変プレートによって横方向へ並ぶ開口エリアの開口面積を全開から全閉まで可変させることができるから、抵抗ベースに作用する水圧を部分的に変えることができ、それによって使用者の上腕や前腕の特定の部位に負荷がかかることにより、上腕や前腕の特定の筋肉を個別に強化することができる。水中トレーニング・リハビリ運動器具は、使用者の上腕や前腕の特定の部位に個別に負荷をかけることができるから、故障した腕の特定の部位のリハビリを行うことができ、障害者（使用者）の腕の障害が残る特定の部位のリハビリを行うことができる。水中トレーニング・リハビリ運動器具は、家庭での入浴時に気軽に利用することができるから、運動不足を解消することができ、運動不足や運動を諦めることによって生じる廃用性萎縮（使わない筋肉が退化し、または、動かさない関節がさらに動かなくなること）を効果的に防止することができる。なお、水圧は速度の２乗に比例するから、抵抗ベースを水中で速く揺動させることで、使用者の上腕や前腕の筋肉を一層強化することができるのみならず、抵抗ベースを水中でゆっくりと揺動させることで、使用者の筋力や故障の程度、障害者（使用者）の障害の程度等のレベルに合わせたトレーニングやリハビリを行うことができる。
【００２５】
横方向へ並ぶ第１〜第５開口エリアと第１〜第５抵抗可変プレートとを備え、それら開口エリアの全開時の開口面積が第１〜第３開口エリア＞第４および第５開口エリアである水中トレーニング・リハビリ運動器具は、第１〜第５抵抗可変プレートによって第１〜第５開口エリアの開口面積を全開から全閉まで可変させることができるから、それら開口エリア毎に開口面積を個別に変えることで抵抗ベースに作用する水圧を部分的に変えることができ、使用者の上腕や前腕の特定の部位に負荷をかけることができるとともに、上腕や前腕の特定の筋肉のみを個別に強化することができる。また、故障した腕の特定の部位のみや障害者（使用者）の腕の障害が残る特定の部位のみに負荷をかけることができるとともに、開口面積を変えることによって特定の部位にかかる負荷を調節することができるから、故障した腕の特定の部位のリハビリを行うことができ、障害者（使用者）の腕の障害が残る特定の部位のリハビリを行うことができる。水中トレーニング・リハビリ運動器具は、第１〜第３開口エリアの開口面積が第４および第５開口エリアのそれよりも大きく、第１〜第３開口エリアを開放することで抵抗ベースの中央における水の抵抗を小さくすることができるから、抵抗ベースの中央に作用する水圧を大きく減少させることができ、腕の筋力の乏しい使用者に合わせたトレーニングやリハビリを行うことができる。
【００２６】
第１開口エリアが抵抗ベースを横方向へ二分する仮想縦中心線に対して面対称であり、第２および第３開口エリアが仮想縦中心線に対して対称に位置し、第４および第５開口エリアが仮想縦中心線に対して対称に位置している水中トレーニング・リハビリ運動器具は、水圧を抵抗ベースの中央に中心に横方向へ均等に作用させることができるから、運動器具の使用時に運動器具が不安定になることはなく、使用中における運動器具の横ぶれや回転を防ぐことができ、運動器具の使い勝手を向上させることができる。水中トレーニング・リハビリ運動器具は、第２および第３開口エリアや第４および第５開口エリアの開口面積を均等に変更することで、水圧が抵抗ベースに均等に作用した運動器具に調整することができ、それら開口エリアの開口面積を異なるように変更することで、水圧が抵抗ベースに様々に作用した運動器具に調整することができる。
【００２７】
抵抗ベースの面積が３０００〜５２００ｃｍ２の範囲にあり、第１〜第５開口エリアの開口面積が抵抗ベースの面積に対して５〜８％の範囲にある水中トレーニング・リハビリ運動器具は、抵抗ベースに作用する水圧が抵抗ベースの面積に比例するから、抵抗ベースの面積を前記範囲で調整することにより、高抵抗の運動器具や低抵抗の運動器具を作ることができ、使用者や障害者（使用者）のレベルに応じた運動器具にすることができる。水中トレーニング・リハビリ運動器具は、第１〜第５開口エリアの開口面積が抵抗ベースの面積に対して前記割合にあるから、開口エリアに開口面積を変更することで抵抗ベースに作用する水圧を確実に変えることができ、使用者の上腕や前腕の特定の部位のみに負荷をかけることができるとともに、上腕や前腕の特定の筋肉のみを個別に強化することができる。また、故障した腕の特定の部位のみのリハビリを行うことができ、障害者（使用者）の腕の障害が残る特定の部位のみのリハビリを行うことができる。
【００２８】
抵抗ベースがその外周縁から縦方向外方へ向かって開口する第１〜第５スリットを有する水中トレーニング・リハビリ運動器具は、第１〜第５開口エリアを全閉にして使用する場合、それら開口エリアを塞ぐ第１〜第５抵抗可変プレートに大きな水圧が作用するが、運動器具の使用中に第１〜第５抵抗可変プレートに衝突する水を第１〜第５スリットから抵抗ベースの外側に逃がすことができるから、各抵抗可変プレートに作用する水圧を軽減することができ、運動器具の使用中における各抵抗可変プレートの破損や変形を防ぐことができる。
【００２９】
横方向へ並ぶ第１〜第３開口エリアと第１〜第３抵抗可変プレートとを備え、それら開口エリアの全開時の開口面積が第２および第３開口エリア＞第１開口エリアである水中トレーニング・リハビリ運動器具は、第１〜第３抵抗可変プレートによって第１〜第３開口エリアの開口面積を全開から全閉まで可変させることができるから、それら開口エリア毎に開口面積を個別に変えることで抵抗ベースに作用する水圧を部分的に変えることができ、使用者の上腕や前腕の特定の部位に負荷をかけることができるとともに、上腕や前腕の特定の筋肉のみを個別に強化することができる。また、故障した腕の特定の部位のみや障害者（使用者）の腕の障害が残る特定の部位のみに負荷をかけることができるとともに、開口面積を変えることによって特定の部位にかかる負荷を調節することができるから、故障した腕の特定の部位のリハビリを行うことができ、障害者（使用者）の腕の障害が残る特定の部位のリハビリを行うことができる。水中トレーニング・リハビリ運動器具は、中央に位置する第２および第３開口エリアの開口面積が第１開口エリアのそれよりも大きく、第２および第３開口エリアを開放することで抵抗ベースの両側における水の抵抗を小さくすることができるから、抵抗ベースの両側に作用する水圧を大きく減少させることができ、腕の筋力の乏しい使用者に合わせたトレーニングやリハビリを行うことができる。
【００３０】
第１開口エリアが抵抗ベースを横方向へ二分する仮想縦中心線に対して面対称であり、第２および第３開口エリアが仮想縦中心線に対して対称に位置している水中トレーニング・リハビリ運動器具は、水圧を抵抗ベースの中央に中心に横方向へ均等に作用させることができるから、運動器具の使用時に運動器具が不安定になることはなく、使用中における運動器具の横ぶれや回転を防ぐことができ、運動器具の使い勝手を向上させることができる。水中トレーニング・リハビリ運動器具は、第２および第３開口エリアの開口面積を均等に変更することで、水圧が抵抗ベースに均等に作用した運動器具に調整することができ、それら開口エリアの開口面積を異なるように変更することで、水圧が抵抗ベースに様々に作用した運動器具に調整することができる。
【００３１】
抵抗ベースの面積が３０００〜５２００ｃｍ２の範囲にあり、第１開口エリアの開口面積が抵抗ベースの面積に対して５〜８％の範囲にあり、第２および第３開口エリアの開口面積が抵抗ベースの面積に対して１０〜２５％の範囲にある水中トレーニング・リハビリ運動器具は、抵抗ベースに作用する水圧が抵抗ベースの面積に比例するから、抵抗ベースの面積を前記範囲で調整することにより、高抵抗の運動器具や低抵抗の運動器具を作ることができ、使用者や障害者（使用者）のレベルに応じた運動器具にすることができる。水中トレーニング・リハビリ運動器具は、第１〜第３開口エリアの開口面積が抵抗ベースの面積に対して前記割合にあるから、開口エリアに開口面積を変更することで抵抗ベースに作用する水圧を確実に変えることができ、使用者の上腕や前腕の特定の部位のみに負荷をかけることができるとともに、上腕や前腕の特定の筋肉のみを個別に強化することができる。また、故障した腕の特定の部位のみのリハビリを行うことができ、障害者（使用者）の腕の障害が残る特定の部位のみのリハビリを行うことができる。水中トレーニング・リハビリ運動器具は、第２および第３開口エリアを開放することで抵抗ベースの両側における水の抵抗を小さくすることができるから、抵抗ベースの両側に作用する水圧を大きく減少させることができ、腕の筋力の乏しい使用者に合わせたトレーニングやリハビリを行うことができる。
【００３２】
抵抗ベースがその外周縁から縦方向外方へ向かって開口する第１〜第３スリットを有する水中トレーニング・リハビリ運動器具は、第１〜第３開口エリアを全閉にして使用する場合、それら開口エリアを塞ぐ第１〜第３抵抗可変プレートに大きな水圧が作用するが、運動器具の使用中に第１〜第３抵抗可変プレートに衝突する水を第１〜第３スリットから抵抗ベースの外側に逃がすことができるから、各抵抗可変プレートに作用する水圧を軽減することができ、運動器具の使用中における各抵抗可変プレートの破損や変形を防ぐことができる。
【００３３】
抵抗ベースが外周縁に沿って前面から縦横方向と交差する前後方向前方へ延びる第１抵抗フランジと外周縁に沿って後面から縦横方向と交差する前後方向後方へ延びる第２抵抗フランジとを有する水中トレーニング・リハビリ運動器具は、運動器具の使用中にそれらフランジが抵抗ベースの外周縁からの水の逃げを防ぎ、抵抗ベースが水を捕まえるから、抵抗ベースに水圧を確実に作用させることができ、使用者の上腕や前腕の筋肉を確実に強化することができる。
【００３４】
可変プレートの凸部が前記案内レールの凸部に乗り上げると、可変プレートの凸部が付勢手段に抗して横方向内方へ移動し、可変プレートの凸部が案内レールの凸部を乗り越えて案内レールの凹部に位置すると、可変プレートの凸部が付勢手段によって横方向外方へ移動して案内レールの凹部に嵌入することで、それら可変プレートによってそれら開口エリアの開口面積を段階的に変更可能な水中トレーニング・リハビリ運動器具は、それら可変プレートによってそれら開口エリアの開口面積を細かく変更することができるから、上腕や前腕の特定の筋肉のみを個別に強化することができ、故障した腕の特定の部位のみのリハビリを行うことができるとともに、障害者（使用者）の腕の障害が残る特定の部位のみのリハビリを行うことができる。
【００３５】
付勢手段が抵抗可変プレートの側縁の内側に作られたスリットによって画成されてスリットの両端の間に延びる弾性変形可能な板ばねであり、凸部が板ばねの略中央に作られている水中トレーニング・リハビリ運動器具は、可変プレートの凸部が案内レールの凸部を乗り越えて案内レールの凹部に位置したときに、抵抗可変プレートの凸部が板ばねの弾性力によって横方向内方へ移動して案内レールの凹部に嵌入することで、それら抵抗可変プレートによって開口エリアの開口面積を段階的に変更することができるから、開口エリアの開口面積を細かく変更することができるのみならず、板ばねの弾性力によって抵抗可変プレートの移動が規制され、抵抗可変プレートが不用意に移動することによる開口面積の変動を防ぐことができ、開口面積を所定のそれに保持することができる。
【００３６】
第１および第２旋回ロッドを縦方向へ旋回させてそれら旋回ロッドを対向させることで縦方向へ延びる縦長ハンドグリップを形成し、縦方向へ旋回させた第１および第２旋回ロッドを横方向へ旋回させることで横方向へ延びる横長ハンドグリップを形成する水中トレーニング・リハビリ運動器具は、使用者がその手で縦長ハンドグリップまたは横長ハンドグリップを把持することで、使用者が持ち方を変えた状態で運動器具を使用することができ、各スポーツの種類に応じた上腕や前腕のトレーニングを行うことができる。また、リハビリに使用する場合、障害者（使用者）が痛みを感じ難い持ち方を選択することができ、リハビリを無理なく行うことができる。
【００３７】
抵抗ベースが使用者の手をベースに向かって押し付けるバンドを有し、バンドが使用者の手の甲に密着する第１バンドと使用者の中指に密着する第２バンドとから形成されている水中トレーニング・リハビリ運動器具は、第１および第２バンドによって使用者が手を開いた状態で使用者の手が運動器具に固定され、手の平を開いた状態で運動器具を持つことができるから、縦長ハンドグリップや横長ハンドグリップを把持する以外のスポーツに対応したトレーニングを行うことができ、手の平を開いた状態でリハビリを行うことができる。
【００３８】
抵抗ベースの外周縁がハンドグリップから開口エリアに向かって凸となるように弧を画いている水中トレーニング・リハビリ運動器具は、抵抗ベースの平面形状を使用者の各指の長短による手の形状に近似させることができるから、抵抗ベースに作用する水圧を手の形状に合わせて変えることができ、上腕や前腕の特定の筋肉のみを正確に強化することができるとともに、障害者（使用者）の腕の障害が残る特定の部位のみリハビリを確実に行うことができる。
【図面の簡単な説明】
【００３９】
【図１】一例として示す第１および第２バンドを取り外した状態の水中トレーニング・リハビリ運動器具の正面図。
【図２】第１および第２バンドを設置した状態で示す水中トレーニング・リハビリ運動器具の正面図。
【図３】水中トレーニング・リハビリ運動器具の背面図。
【図４】水中トレーニング・リハビリ運動器具の上面図。
【図５】水中トレーニング・リハビリ運動器具の側面図。
【図６】水中トレーニング・リハビリ運動器具の底面図。
【図７】第１〜第５開口エリアを略半分開放した状態で示す水中トレーニング・リハビリ運動器具の背面図。
【図８】第１〜第５開口エリアを全開にした状態で示す水中トレーニング・リハビリ運動器具の背面図。
【図９】一例として示す第１抵抗可変プレートの正面図。
【図１０】第１抵抗可変プレートおよび案内レールの所定の態様を示す正面図。
【図１１】第１抵抗可変プレートおよび案内レールの他の態様を示す正面図。
【図１２】使用状態の一例を示す水中トレーニング・リハビリ運動器具の正面図。
【図１３】図１２の使用状態の水中トレーニング・リハビリ運動器具の背面図。
【図１４】第１および第２旋回ロッドが縦方向へ旋回中の水中トレーニング・リハビリ運動器具の正面図。
【図１５】第１および第２旋回ロッドが縦方向へ旋回した後の水中トレーニング・リハビリ運動器具の正面図。
【図１６】使用状態の他の一例を示す水中トレーニング・リハビリ運動器具の正面図。
【図１７】使用状態の他の一例を示す水中トレーニング・リハビリ運動器具の正面図。
【図１８】他の一例として示す第１バンドを破断した状態の水中トレーニング・リハビリ運動器具の正面図。
【図１９】水中トレーニング・リハビリ運動器具の背面図。
【図２０】水中トレーニング・リハビリ運動器具の上面図。
【図２１】第１〜第３開口エリアを略半分開放した状態で示す水中トレーニング・リハビリ運動器具の背面図。
【図２２】第１〜第３開口エリアを全開にした状態で示す水中トレーニング・リハビリ運動器具の背面図。
【図２３】使用状態の一例を示す水中トレーニング・リハビリ運動器具の正面図。
【図２４】使用状態の他の一例を示す水中トレーニング・リハビリ運動器具の正面図。
【図２５】使用状態の他の一例を示す水中トレーニング・リハビリ運動器具の正面図。
【発明を実施するための形態】
【００４０】
一例として示す第１および第２バンド１９，２１を取り外した状態の水中トレーニング・リハビリ運動器具１０Ａの正面図である図１等の添付の図面を参照し、本発明にかかる水中トレーニング・リハビリ運動器具の詳細を説明すると、以下のとおりである。なお、図２は、第１および第２バンド１９，２１を設置した状態で示す水中トレーニング・リハビリ運動器具１０Ａの正面図であり、図３は、水中トレーニング・リハビリ運動器具１０Ａの背面図である。図４は、水中トレーニング・リハビリ運動器具１０Ａの上面図であり、図５は、水中トレーニング・リハビリ運動器具１０Ａの側面図である。図６は、水中トレーニング・リハビリ運動器具１０Ａの底面図である。
【００４１】
図７は、第１〜第５開口エリア１５ａ〜１５ｅを略半分開放した状態で示す水中トレーニング・リハビリ運動器具１０Ａの背面図であり、図８は、第１〜第５開口エリア１５ａ〜１５ｅを全開にした状態で示す水中トレーニング・リハビリ運動器具１０Ａの背面図である。図１では、第１〜第５開口エリア１５ａ〜１５ｅが第１〜第５抵抗可変プレート１６ａ〜１６ｅによって閉鎖（全閉）された状態を示す。図１では、縦方向を矢印Ａ、横方向を矢印Ｂで示す。図４〜図６では、前後方向を矢印Ｃで示し、前後方向前方を矢印Ｃ１で示すとともに、前後方向後方を矢印Ｃ２で示す。第１〜第５開口エリア１５ａ〜１５ｅを全開にした図８の状態では、第１〜第５抵抗可変プレート１６ａ〜１６ｅの全体が第１〜第５収容エリア２４ａ〜２４ｅに収容される。
【００４２】
水中トレーニング・リハビリ運動器具１０Ａは、所定面積の抵抗ベース１１と、抵抗ベース１１につながるハンドグリップ１２とを有する。水中トレーニング・リハビリ運動器具１０Ａは、使用者（障害者）がハンドグリップ１２を手で把持し、抵抗ベース１１を水中に入れた状態で抵抗ベース１１を揺動させ、抵抗ベース１１に作用する水圧（水の抵抗）を利用することで使用者の腕の強化を目的としたトレーニングに使用することができるとともに、腕の機能の回復を目的としたリハビリに使用することができる。
【００４３】
抵抗ベース１１やハンドグリップ１２は、それらが熱可塑性合成樹脂（好ましくはポリプロピレン）から作られている。抵抗ベース１１とハンドグリップ１２とは、それらが一体成形されている。抵抗ベース１１は、所定面積の前面１３および後面１４を有し、所定面積の第１〜第５開口エリア１５ａ〜１５ｅと、所定面積の第１〜第５抵抗可変プレート１６ａ〜１６ｅとを備えている。第１〜第５抵抗可変プレート１５ａ〜１５ｅは、抵抗ベース１１やハンドグリップ１２と同一の熱可塑性合成樹脂から作られている。
【００４４】
抵抗ベース１１の外周縁１７は、ハンドグリップ１２から第１〜第５開口エリア１５ａ〜１５ｅに向かって凸となるように弧（円弧）を画いている。抵抗ベース１１は、その平面形状が略半円形に成形されている。抵抗ベース１１の縦方向下方（下部）には、横方向へ延びていて使用者の手（親指を除く四指）を挿脱可能な大きさの手挿入開口１８が形成（穿孔）されている。
【００４５】
抵抗ベース１１の縦方向下方（下部）であって手挿入開口１８の横方向両側には第１バンド１９を固定するバンド固定孔２０が形成（穿孔）され、そのバンド固定孔２０に第１バンド１９を両端部が固定されている。第１バンド１９は、伸縮性を有するゴムやエラストマー等の素材または非伸縮性の素材から作られ、抵抗ベース１１の前面１３の縦方向下方において横方向へ延びている。第１バンド１９は、使用者の手の甲に密着しつつ手の甲を抵抗ベース１１の前面１３に押し付け、使用者の手を抵抗ベース１１に固定する。
【００４６】
抵抗ベース１１の縦方向中央（中央部）には第２バンド２１を固定するバンド固定孔２２が形成（穿孔）され、そのバンド固定孔２２に第２バンド２１を両端部が固定されている。第２バンド２１は、伸縮性を有するゴムやエラストマー等の素材または非伸縮性の素材から作られ、抵抗ベース１１の前面１３の縦方向中央において横方向へ延びている。第２バンド２１は、使用者の中指に密着しつつ中指を抵抗ベース１１の前面１３に押し付け、使用者の中指を抵抗ベース１１に固定する。
【００４７】
抵抗ベース１１は、その面積が３０００〜５２００ｃｍ２の範囲にある。抵抗ベース１１の面積が３０００ｃｍ２未満では、抵抗ベース１１の面積が小さく、抵抗ベース１１に作用する水圧が低くなり、使用者の腕の筋肉に必要な負荷をかけることができず、腕の強化を目的としたトレーニングや腕の機能回復を目的としたリハビリを行うことができない。抵抗ベース１１の面積が５２００ｃｍ２を超過すると、抵抗ベース１１に必要以上の水圧が作用し、抵抗ベース１１を水中で揺動させることが困難となり、トレーニングやリハビリを効率よく行うことができない。
【００４８】
第１〜第５開口エリア１５ａ〜１５ｅは、抵抗ベース１１の縦方向上方（上部）に形成され、抵抗ベース１１の外周縁１７近傍からハンドグリップ１２に向かって縦方向へ延びている。第１開口エリア１５ａは、抵抗ベース１１の中央の縦方向上方（上部）に開口し、第２および第３開口エリア１５ｂ，１５ｃは、抵抗ベース１１の縦方向上方であって第１開口エリア１５ａの横方向両側に開口している。第４開口エリア１５ｄは、抵抗ベース１１の縦方向上方であって第２開口１５ｂの横方向外側（抵抗ベース１１の側部）に開口し、第５開口エリア１５ｅは、抵抗ベース１１の縦方向上方であって第３開口１５ｃの横方向外側（抵抗ベース１１の側部）に開口している。
【００４９】
第２および第３開口エリア１５ｂ，１５ｃは、抵抗ベース１１の外周縁１７に沿って第１開口エリア１５ａから等間隔離間して横方向外側に並び、抵抗ベース１１を横方向へ二分する仮想縦中心線Ｌに対して対称に位置している。第４および第５開口エリア１５ｄ，１５ｅは、抵抗ベース１１の外周縁１７に沿って第２および第３開口エリア１５ｂ，１５ｃから等間隔離間して横方向外側に並び、仮想縦中心線Ｌに対して対称に位置している。第１開口エリア１５ａは、その平面形状が縦方向へ長い四角形を有する。第２〜第５開口エリア１５ｂ〜１５ｅは、その平面形状が縦方向へ長い略四角形を有し、その上縁が抵抗ベース１１の外周縁１７に沿って湾曲している。
【００５０】
第１〜第３開口エリア１５ａ〜１５ｃは、それらの全開時の開口面積の大きさが略同一であり、第４および第５開口エリア１５ｄ，１５ｅは、それらの全開時の開口面積の大きさが同一である。それら開口エリア１５ａ〜１５ｅの全開時の開口面積の大きさは、第１〜第３開口エリア１５ａ〜１５ｃのそれが第４および第５開口エリア１５ｄ，１５ｅのそれよりも大きく、第１〜第３開口エリア１５ａ〜１５ｃ＞第４および第５開口エリア１５ｄ，１５ｅである。
【００５１】
第１〜第５開口エリア１５ａ〜１５ｅを閉鎖（全閉）することで、抵抗ベース１１に作用する水圧の強さが最大になり、第１〜第５開口エリア１５ａ〜１５ｅを開放（全開）することで、抵抗ベース１１に作用する水圧の強さが最小になる。第１開口エリア１５ａを開放することで、抵抗ベース１１の中央に作用する水圧が軽減され、第２および第３開口エリア１５ｂ，１５ｃを開放することで、抵抗ベース１１の中央の両側に作用する水圧が軽減されるとともに、第４および第５開口エリア１５ｄ，１５ｅを開放することで、抵抗ベース１１の両側に作用する水圧が軽減される。
【００５２】
第１〜第５開口エリア１５ａ〜１５ｅの開口面積は、抵抗ベース１１の面積（前面１３の面積または後面１４の面積）に対して５〜８％の範囲にある。第１〜第５開口エリア１５ａ〜１５ｅの開口面積が抵抗ベース１１の面積の５％未満では、各開口エリア１５ａ〜１５ｅを開閉したとしても、抵抗ベース１１に作用する水圧の強さを所期するそれに増減することが難しい。第１〜第５開口エリア１５ａ〜１５ｅの開口面積が抵抗ベース１１の面積の８％を超過すると、各開口エリア１５ａ〜１５ｅを開閉したときに、閉鎖された開口エリア１５ａ〜１５ｅが存在する抵抗ベース１１の部位と開放された開口エリア１５ａ〜１５ｅが存在する抵抗ベース１１の部位との水圧の差が必要以上に大きくなり、使用中に運動器具１０Ａが水中で横ぶれしたり回転する場合があり、運動器具１０Ａを正確に揺動させることができない場合がある。また、各開口エリア１５ａ〜１５ｅを開放（全開）したときに、抵抗ベース１１に作用する水圧が弱く、使用者の腕に負荷をかけることができない。
【００５３】
抵抗ベース１１の第１開口エリア１５ａに対向する外周縁１７には、図４に示すように、開口エリア１５ａの縦方向先端につながって外周縁１７から縦方向外方へ向かって開口する第１スリット２３ａが形成（穿孔）され、抵抗ベース１１の第２開口エリア１５ｂに対向する外周縁１７には、開口エリア１５の縦方向先端につながって外周縁１７から縦方向外方へ向かって開口する第２スリット２３ｂが形成（穿孔）されている。
【００５４】
抵抗ベース１１の第３開口エリア１５ｃに対向する外周縁１７には、開口エリア１５ｃの縦方向先端につながって外周縁１７から縦方向外方へ向かって開口する第３スリット２３ｃが形成（穿孔）され、抵抗ベース１１の第４開口エリア１５ｄに対向する外周縁１７には、開口エリア１５ｄの縦方向先端につながって外周縁１７から縦方向外方へ向かって開口する第４スリット２３ｄが形成（穿孔）されている。抵抗ベース１１の第５開口エリア１５ｅに対向する外周縁１７には、開口エリア１５ｅの縦方向先端につながって外周縁１７から縦方向外方へ向かって開口する第５スリット２３ｅが形成（穿孔）されている。
【００５５】
第１開口エリア１５ａの縦方向下方には、開口エリア１５ａの開放時に第１抵抗可変プレート１６ａを収容する第１収容エリア２４ａが形成され、第２開口エリア１５ｂの縦方向下方には、開口エリア１５ｂの開放時に第２抵抗可変プレート１６ｂを収容する第２収容エリア２４ｂが形成されている。第３開口エリア１５ｃの縦方向下方には、開口エリア１５ｃの開放時に第３抵抗可変プレート１６ｃを収容する第３収容エリア２４ｃが形成され、第４開口エリア１５ｄの縦方向下方には、開口エリア１５ｄの開放時に第４抵抗可変プレート１６ｄを収容する第４収容エリア２４ｄが形成されている。第５開口エリア１５ｅの縦方向下方には、開口エリア１５ｅの開放時に第５抵抗可変プレート１６ｅの全体を収容する第５収容エリア２４ｅが形成されている。第１〜第５収容エリア２４ａ〜２４ｅは、抵抗ベース１１の前後面１３，１４の間に画成された空間である。
【００５６】
第１〜第５開口エリア１５ａ〜１５ｅと第１〜第５収容エリア２４ａ〜２４ｅとを囲繞する縦方向側縁には、第１〜第５抵抗可変プレート１６ａ〜１６ｅの両側縁２５を支持してそれら可変プレート１６ａ〜１６ｅを摺動可能にスライドさせる案内レール２６が作られている（図８，９参照）。案内レール２６には、縦方向へ交互に並ぶ複数の凸部２７および凹部２８が作られている。
【００５７】
抵抗ベース１１の前面１３における外周縁１７には、外周縁１７の湾曲形状に沿って前面１３から縦横方向と交差する前後方向前方へ延びる第１抵抗フランジ２９が作られている。抵抗ベース１１の後面１４における外周縁１７には、外周縁１７の湾曲形状に沿って後面１４から縦横方向と交差する前後方向後方へ延びる第２抵抗フランジ３０が作られている。第１抵抗フランジ２９は、図４，５に示すように、横方向に向かって前後方向前方と前後方向後方とへ弧を画くように波状に起伏を繰り返し、第２抵抗フランジ３０は、横方向に向かって前後方向前方と前後方向後方とへ弧を画くように波状に起伏を繰り返している。
【００５８】
第１抵抗フランジ２９は、それら開口エリア１５ａ〜１５ｅの縦方向上方（先端）に延びる部位の前方への延出寸法が大きく、それら開口エリア１５ａ〜１５ｅの間に延びる部位の前方への延出寸法が小さい。第２抵抗フランジ３０は、それら開口エリア１５ａ〜１５ｅの縦方向上方（先端）に延びる部位の後方への延出寸法が大きく、それら開口エリア１５ａ〜１５ｅの間に延びる部位の後方への延出寸法が小さい。なお、第１および第２抵抗フランジ２９，３０は、同形同大であり、抵抗ベース１１と一体に成形されている。
【００５９】
抵抗ベース１１の前面１３には、縦方向へ延びる複数の補強リブ３１が作られている。それら補強リブ３１は、抵抗ベース１１の縦方向下方（下部）であって横方向両側に作られているとともに、抵抗ベース１１のそれら開口エリア１５ａ〜１５ｅの間の部位に作られている。抵抗ベース１１の後面１４には、縦方向へ延びる複数の補強リブ３２が作られている。それら補強リブ３２は、抵抗ベース１１の縦方向下方（下部）であって横方向両側に作られているとともに、抵抗ベース１１のそれら開口エリア１５ａ〜１５ｅの間の部位に作られている。なお、補強リブ３１，３２は、抵抗ベース１１と一体に成形されている。
【００６０】
図９は、一例として示す第１抵抗可変プレート１６ａの正面図であり、図１０は、第１抵抗可変プレート１６ａおよび案内レール２６の所定の態様を示す正面図である。図１１は、第１抵抗可変プレート１６ａおよび案内レール２６の他の態様を示す正面図である。図１０は、第１抵抗可変プレート１６ａの凸部が案内レールの凸部に乗り上げた状態を示し、図１１は、第１抵抗可変プレート１６ａの凸部が案内レールの凹部に嵌入した状態を示す。
【００６１】
第１抵抗可変プレート１６ａは、第１開口エリア１５ａの平面形状と同形であり、その面積（大きさ）が開口エリア１５ａのそれよりもわずかに大きい。第１抵抗可変プレート１６ａは、第１開口エリア１５ａおよび第１収容エリア２４ａに形成された案内レール２６にスライド可能（移動可能）に設置され、第１開口エリア１５ａを開閉する。第１抵抗可変プレート１６ａには、可変プレート１６ａと一体成形されて抵抗ベース１１の後面１４から後方へ延びる操作摘み３３が設置されている。第１抵抗可変プレート１６ａは、第１開口エリア１５ａと第１収容エリア２４ａとの間でそれを案内レール２６に沿って縦方向へ移動（スライド）させることで、開口エリア１５ａの開口面積が全開から全閉まで段階的に可変（変更）される。
【００６２】
第１抵抗可変プレート１６ａは、その両側縁２５に形成されて側縁２５から横方向外方へ凸となる凸部３４と、凸部３４を横方向外方へ付勢する板ばね３５（付勢手段）とを有する（図９参照）。板ばね３５は、第１抵抗可変プレート１６ａの側縁２５の内側に作られたスリット３６によって画成され、スリット３６の両端の間に延びている。凸部３４は、板ばね３５の略中央に作られている。凸部３４と板ばね３５とは、第１抵抗可変プレート１６ａと一体に成形されているが、凸部を有する金属製の板ばねを可変プレート１６ａの側縁２５に別途取り付けることもできる。
【００６３】
第１抵抗可変プレート１６ａは、操作摘み３３を使用して可変プレート１６ａを縦方向上方や下方にスライドさせる。図１０に示すように、可変プレート１６ａの凸部３４が案内レール２６の凸部２７に対向すると、可変プレート１６ａの凸部３４がレール２６の凸部２７に押圧され、可変プレート１６ａの凸部３４が板ばね３５（付勢手段）の弾性力（付勢力）に抗して横方向内方へ次第に移動し、可変プレート１６ａの凸部３４がレール２６の凸部２７に乗り上げる。その状態で、可変プレート１６ａを縦方向上方や下方にさらにスライドさせると、可変プレート１６ａの凸部３４が板ばね３５の弾性力によって横方向外方へ次第に移動しつつ、可変プレート１６ａの凸部３４がレール２６の凸部２７を乗り越える。
【００６４】
第１抵抗可変プレート１６ａの凸部３４が案内レール２６の凸部２７を乗り越えると、図１１に示すように、可変プレート１６ａの凸部３４がレール２６の凹部２８に位置し、可変プレート１６ａの凸部３４が板ばね３５の弾性力によって横方向外方へ移動し、可変プレート１６ａの凸部３４がレール２６の凹部２８に嵌入する。可変プレート１６ａの凸部３４がレール２６の凹部２８に嵌入すると、板ばね３５の弾性力によって凸部３４と凹部２８との嵌入状態が一時的に保持される。なお、案内レール２６の凸部２７の縦方向の長さを変更（縦方向に隣接する凹部２８の離間寸法を変更）することで、開口面積を３段階変更や５段階変更、１０段階変更等に変更回数を調節することができる。
【００６５】
第２抵抗可変プレート１６ｂは、第２開口エリア１５ｂの平面形状と同形であり、その面積（大きさ）が開口エリア１５ｂのそれよりもわずかに大きい。第２抵抗可変プレート１６ｂは、第２開口エリア１５ｂおよび第２収容エリア２４ｂに形成された案内レール２６（図１０，１１援用）にスライド可能（移動可能）に設置され、第２開口エリア１５ｂを開閉する。第２抵抗可変プレート１６ｂには、可変プレート１６ｂと一体成形された操作摘み３３が設置されている。第２抵抗可変プレート１６ｂは、第２開口エリア１５ｂと第２収容エリア２４ｂとの間でそれを案内レール２６に沿って縦方向へ移動（スライド）させることで、開口エリア１５ｂの開口面積が全開から全閉まで段階的に可変（変更）される。
【００６６】
第２抵抗可変プレート１６ｂは、その両側縁２５に形成されて側縁２５から横方向外方へ凸となる凸部３４と、凸部３４を横方向外方へ付勢する板ばね３５（付勢手段）とを有する（図９援用）。凸部３４や板ばね３５は、第１抵抗可変プレート１６ａのそれと同一である。第２抵抗可変プレート１６ｂの移動の態様（移動の手順）は、第１抵抗可変プレート１６ａのそれと同一である。第２抵抗可変プレート１６ｂにおける開口面積の変更回数は、第１抵抗可変プレート１６ａのそれと同一である。
【００６７】
第３抵抗可変プレート１６ｃは、第３開口エリア１５ｃの平面形状と同形であり、その面積（大きさ）が開口エリア１５ｃのそれよりもわずかに大きい。第３抵抗可変プレート１６ｃは、第３開口エリア１５ｃおよび第３収容エリア２４ｃに形成された案内レール２６（図１０，１１援用）にスライド可能（移動可能）に設置され、第３開口エリア１５ｃを開閉する。第３抵抗可変プレート１６ｃには、可変プレート１６ｃと一体成形された操作摘み３３が設置されている。第３抵抗可変プレート１６ｃは、第３開口エリア１５ｃと第３収容エリア２４ｃとの間でそれを案内レール２６に沿って縦方向へ移動（スライド）させることで、開口エリア１５ｃの開口面積が全開から全閉まで段階的に可変（変更）される。
【００６８】
第３抵抗可変プレート１６ｃは、その両側縁２５に形成されて側縁２５から横方向外方へ凸となる凸部３４と、凸部３４を横方向外方へ付勢する板ばね３５（付勢手段）とを有する（図９援用）。凸部３４や板ばね３５は、第１抵抗可変プレート１６ａのそれと同一である。第３抵抗可変プレート１６ｃの移動の態様（移動の手順）は、第１抵抗可変プレート１６ａのそれと同一である。第３抵抗可変プレート１６ｃにおける開口面積の変更回数は、第１抵抗可変プレート１６ａのそれと同一である。
【００６９】
第４抵抗可変プレート１６ｄは、第４開口エリア１５ｄの平面形状と同形であり、その面積（大きさ）が開口エリア１５ｄのそれよりもわずかに大きい。第４抵抗可変プレート１６ｄは、第４開口エリア１５ｄおよび第４収容エリア２４ｄに形成された案内レール２６（図１０，１１援用）にスライド可能（移動可能）に設置され、第４開口エリア１５ｄを開閉する。第４抵抗可変プレート１６ｄには、可変プレート１６ｄと一体成形された操作摘み３３が設置されている。第４抵抗可変プレート１６ｄは、第４開口エリア１５ｄと第４収容エリア２４ｄとの間でそれを案内レール２６に沿って縦方向へ移動（スライド）させることで、開口エリア１５ｄの開口面積が全開から全閉まで段階的に可変（変更）される。
【００７０】
第４抵抗可変プレート１６ｄは、その両側縁２５に形成されて側縁２５から横方向外方へ凸となる凸部３４と、凸部３４を横方向外方へ付勢する板ばね３５（付勢手段）とを有する（図９援用）。凸部３４や板ばね３５は、第１抵抗可変プレート１６ａのそれと同一である。第４抵抗可変プレート１６ｄの移動の態様（移動の手順）は、第１抵抗可変プレート１６ａのそれと同一である。第４抵抗可変プレート１６ｄにおける開口面積の変更回数は、第１抵抗可変プレート１６ａのそれと同一である。
【００７１】
第５抵抗可変プレート１６ｅは、第５開口エリア１５ｅの平面形状と同形であり、その面積（大きさ）が開口エリア１５ｅのそれよりもわずかに大きい。第５抵抗可変プレート１６ｅは、第５開口エリア１５ｅおよび第５収容エリア２４ｅに形成された案内レール２６（図１０，１１援用）にスライド可能（移動可能）に設置され、第５開口エリア１５ｅを開閉する。第５抵抗可変プレート１６ｅには、可変プレート１６ｅと一体成形された操作摘み３３が設置されている。第５抵抗可変プレート１６ｅは、第５開口エリア１５ｅと第５収容エリア２４ｅとの間でそれを案内レール２６に沿って縦方向へ移動（スライド）させることで、開口エリア１５ｅの開口面積が全開から全閉まで段階的に可変（変更）される。
【００７２】
第５抵抗可変プレート１６ｅは、その両側縁２５に形成されて側縁２５から横方向外方へ凸となる凸部３４と、凸部３４を横方向外方へ付勢する板ばね３５（付勢手段）とを有する（図９援用）。凸部３４や板ばね３５は、第１抵抗可変プレート１６ａのそれと同一である。第５抵抗可変プレート１６ｅの移動の態様（移動の手順）は、第１抵抗可変プレート１６ａのそれと同一である。第５抵抗可変プレート１６ｅにおける開口面積の変更回数は、第１抵抗可変プレート１６ａのそれと同一である。
【００７３】
ハンドグリップ１２は、手挿入開口１８を挟んで抵抗ベース１１の反対側に形成されている。ハンドグリップ１２は、抵抗ベース１１の前面１３の側に位置してハンドグリップ１２の横方向中央から横方向外方へ延びる第１旋回ロッド３７と、抵抗ベース１１の後面１４の側に位置してハンドグリップ１２の横方向中央から横方向外方へ延びる第２旋回ロッド３８とを有する。
【００７４】
第１旋回ロッド３７は、抵抗ベース１１やハンドグリップ１２と同一の熱可塑性合成樹脂から作られ、その断面形状が半円形を有する。第１旋回ロッド３７は、その基端部３９が旋回軸４０を介してハンドグリップ１２の横方向中央に回転可能に取り付けられている。第１旋回ロッド３７は、ハンドグリップ１２の横方向中央（旋回軸４０）を中心にその先端部４１が縦横方向へ旋回可能である。
【００７５】
第２旋回ロッド３８は、抵抗ベース１１やハンドグリップ１２と同一の熱可塑性合成樹脂から作られ、その断面形状が半円形を有し、第１旋回ロッド３７と同形同大である。第２旋回ロッド３８は、その基端部４２が旋回軸４３を介してハンドグリップ１２の横方向中央に回転可能に取り付けられている。第２旋回ロッド３８は、ハンドグリップ１２の横方向中央（旋回軸４３）を中心にその先端部４４が縦横方向へ旋回可能である。
【００７６】
図１２は、使用状態の一例を示す水中トレーニング・リハビリ運動器具１０Ａの正面図であり、図１３は、図１２の使用状態の水中トレーニング・リハビリ運動器具１０Ａの背面図である。図１４は、第１および第２旋回ロッド３７，３８が縦方向へ旋回中の水中トレーニング・リハビリ運動器具１０Ａの正面図であり、図１５は、第１および第２旋回ロッド３７，３８が縦方向へ旋回した後の水中トレーニング・リハビリ運動器具１０Ａの正面図である。図１６は、使用状態の他の一例を示す水中トレーニング・リハビリ運動器具１０Ａの正面図であり、図１７は、使用状態の他の一例を示す水中トレーニング・リハビリ運動器具１０Ａの正面図である。
【００７７】
図１２〜図１６では、水の図示を省略している。図１４，１５では、第１および第２バンド１９，２１を破断して示す。図１２〜図１６では第１〜第５開口エリア１５ａ〜１５ｅが全閉であるが、第１〜第５開口エリア１５ａ〜１５ｅを全開または所定面積開放して使用する場合の図示は省略する。図１２〜図１６では、前後方向前方を矢印Ｃ１で示し、前後方向後方を矢印Ｃ２で示す。
【００７８】
水中トレーニング・リハビリ運動器具１０Ａでは、第１および第２旋回ロッド３７，３８を横方向へ旋回させてそれら旋回ロッド３７，３８をハンドグリップ１２に平行させることで、横方向へ延びる横長ハンドグリップ４５が形成される。水中トレーニング・リハビリ運動器具１０Ａの使用の一例は、図１２，１３に示すように、第１および第２旋回ロッド３７，３８を横方向へ旋回させた状態で手挿入開口１８に使用者（障害者）がその手４６（親指を除く四指）を挿入し、横長ハンドグリップ４５を手４６で把持して（握って）運動器具１０Ａを手４６で持つ。
【００７９】
次に、抵抗ベース１１を水中に入れ、横長ハンドグリップ４５を把持した状態で手首を揺動させ、抵抗ベース１１を水中で前後方向前方と後方とへ連続的に揺動させる。抵抗ベース１１の前面１３と後面１４とが水掻きとなり、抵抗ベース１１の前後面１３，１４に水圧（水の抵抗）が作用し、その水圧（負荷）が使用者の上腕や前腕に作用する。使用者（障害者）は、その運動器具１０Ａの使用中に、操作摘み３３を指で適時し、摘み３３を縦方向上方または下方に動かすことによって第１〜第５抵抗可変プレート１６ａ〜１６ｅをスライドさせ、第１〜第５開口エリア１５ａ〜１５ｅの開口面積を適宜変更することができる。
【００８０】
なお、運動器具１０Ａの使用中に第１および第２抵抗フランジ２９，３０が抵抗ベース１１の外周縁１７からの水の逃げを防ぎ、ベース１１が水を捕まえるから、ベース１１に水圧を確実に作用させることができる。また、第１〜第５開口エリア１５ａ〜１５ｅを全閉にして使用する場合、それら開口エリア１５ａ〜１５ｅを塞ぐ第１〜第５抵抗可変プレート１６ａ〜１６ｅに大きな水圧が作用するが、運動器具１０Ａの使用中に第１〜第５抵抗可変プレート１６ａ〜１６ｅに衝突する水を第１〜第５スリット２３ａ〜２３ｅから抵抗ベース１１の外側に逃がすことができるから、各抵抗可変プレート１６ａ〜１６ｅに作用する水圧を軽減することができ、運動器具１０Ａの使用中における各抵抗可変プレート１６ａ〜１６ｅの破損や変形を防ぐことができる。
【００８１】
水中トレーニング・リハビリ運動器具１０Ａの使用の他の一例は、第１および第２旋回ロッド３７，３８が横方向へ旋回して横長ハンドグリップ４６を形成した状態から、図１４に矢印で示すように、第１旋回ロッド３７の先端部４１をハンドグリップ１２の横方向中央（旋回軸４０）を中心に縦方向へ旋回させ、第２旋回ロッド３８の先端部４４をハンドグリップ１２の横方向中央（旋回軸４３）を中心に縦方向へ旋回させ、図１５に示すように、それら旋回ロッド３７，３８の先端部４１，４４どうしを対向させる。先端部４１，４４どうしを対向させると、それら旋回ロッド３７，３８によって縦長ハンドグリップ４７が形成される。なお、縦方向へ旋回させた第１および第２旋回ロッド３７，３８を再び横方向へ旋回させることで横長ハンドグリップ４５に戻る。
【００８２】
図１６に示すように、使用者（障害者）がその手４６で縦長ハンドグリップ４７を把持して（握って）運動器具１０Ａを手４６で持つ。次に、抵抗ベース１１を水中に入れ、縦長ハンドグリップ４７を把持した状態で手首を揺動させ、抵抗ベース１１を水中で前後方向前方と後方とへ連続的に揺動させる。抵抗ベース１１の前面１３と後面１４とが水掻きとなり、抵抗ベース１１の前後面１３，１４に水圧（水の抵抗）が作用し、その水圧（負荷）が使用者の上腕や前腕に作用する。
【００８３】
水中トレーニング・リハビリ運動器具１０Ａの使用の他の一例は、図１７に示すように、第１および第２旋回ロッド３７，３８が横方向へ旋回して横長ハンドグリップ４６を形成した状態において、第１バンド１９と横長ハンドグリップ４６との間に手を挿入するとともに、第２バンド２１と抵抗ベース１１との間に中指を挿入する。使用者（障害者）の手の甲が伸縮性の第１バンド１９によって運動器具１０Ａに押し付けられて手の甲が運動器具１０Ａに固定されるとともに、中指が伸縮性の第２バンド２１によって運動器具１０Ａに押し付けられて中指が運動器具１０Ａに固定される。次に、抵抗ベース１１を水中に入れ、縦長ハンドグリップ４７を把持した状態で手首を揺動させ、抵抗ベース１１を水中で前後方向前方と後方とへ連続的に揺動させる。抵抗ベース１１の前面１３と後面１４とが水掻きとなり、抵抗ベース１１の前後面１３，１４に水圧（水の抵抗）が作用し、その水圧（負荷）が使用者の上腕や前腕に作用する。
【００８４】
水中トレーニング・リハビリ運動器具１０Ａは、使用者が横長ハンドグリップ４５や横長ハンドグリップ４７を手４６で把持し、または、第１および第２バンド１９，２１によって手４６を運動器具１０Ａに固定し、抵抗ベース１１を水中に入れた状態でベース１１を水中で前後に揺動させることで、ベース１１に所定の水圧（水の抵抗）が作用するから、使用者の上腕全体や前腕全体の筋肉を強化することができることはもちろん、第１〜第５抵抗可変プレート１６ａ〜１６ｅによって横方向へ並ぶ第１〜第５開口エリア１５ａ〜１５ｅの開口面積を全開から全閉まで段階的に可変させることができるから、ベース１１に作用する水圧を部分的に変えることができ、それによって使用者の上腕や前腕の特定の部位に負荷がかかることにより、上腕や前腕の特定の筋肉を個別に強化することができる。
【００８５】
水中トレーニング・リハビリ運動器具１０Ａは、第１〜第５抵抗可変プレート１６ａ〜１６ｅによって第１〜第５開口エリア１５ａ〜１５ｅの開口面積を調節することで、使用者の上腕や前腕の特定の部位に個別に負荷をかけることができるから、故障した腕の特定の部位のリハビリを行うことができ、障害者（使用者）の腕の障害が残る特定の部位のリハビリを行うことができる。水中トレーニング・リハビリ運動器具１０Ａは、抵抗ベース１１を水中で速く揺動させることで、使用者の上腕や前腕の筋肉を一層強化することができるのみならず、ベース１１を水中でゆっくりと揺動させることで、使用者の筋力や故障の程度、障害者（使用者）の障害の程度等のレベルに合わせたトレーニングやリハビリを行うことができる。
【００８６】
水中トレーニング・リハビリ運動器具１０Ａは、使用者（障害者）がその手４６で横長ハンドグリップ４５または縦長ハンドグリップ４７を把持することで、使用者が持ち方を変えた状態で運動器具１０Ａを使用することができ、各スポーツの種類に応じた上腕や前腕のトレーニングを行うことができる。また、リハビリに使用する場合、使用者（障害者）が痛みを感じ難い持ち方を選択することができ、リハビリを無理なく行うことができる。水中トレーニング・リハビリ運動器具１０Ａは、第１および第２バンド１９，２１によって使用者（障害者）が手４６を開いた状態で手４６が運動器具１０Ａに固定され、手４６の平を開いた状態で運動器具１０Ａを持つことができるから、横長ハンドグリップ４５や縦長ハンドグリップ４７を把持する以外のスポーツに対応したトレーニングを行うことができ、手の平を開いた状態でリハビリを行うことができる。
【００８７】
図１８は、他の一例として示す第１バンド１９を破断した状態の水中トレーニング・リハビリ運動器具１０Ｂの正面図であり、図１９は、水中トレーニング・リハビリ運動器具１０Ｂの背面図である。図２０は、水中トレーニング・リハビリ運動器具１０Ｂの上面図であり、図２１は、第１〜第３開口エリアを略半分開放した状態で示す水中トレーニング・リハビリ運動器具１０Ｂの背面図である。図２２は、第１〜第３開口エリアを全開にした状態で示す水中トレーニング・リハビリ運動器具１０Ｂの背面図である。
【００８８】
図１８は、第１〜第３開口エリア１５ａ〜１５ｃが第１〜第３抵抗可変プレート１６ａ〜１６ｃによって閉鎖（全閉）された状態を示す。図１８では、縦方向を矢印Ａ、横方向を矢印Ｂで示す。図２０では、前後方向を矢印Ｃで示し、前後方向前方を矢印Ｃ１で示すとともに、前後方向後方を矢印Ｃ２で示す。第１〜第３開口エリア１５ａ〜１５ｃを全開にした図２２の状態では、第１〜第３抵抗可変プレート１６ａ〜１６ｃの全体が第１〜第３収容エリア２４ａ〜２４ｃに収容される。
【００８９】
水中トレーニング・リハビリ運動器具１０Ｂが図１のそれと異なるところは、所定面積の第１〜第３開口エリア１５ａ〜１５ｃと、熱可塑性合成樹脂から作られた所定面積の第１〜第３抵抗可変プレート１６ａ〜１６ｃとを備えている点にあり、その他の構成は図１の水中トレーニング・リハビリ運動器具１０Ａのそれらと同一であるから、運動器具１０Ａと同一の符号を付すとともに、運動器具１０Ａに対する説明を援用することで、運動器具１０Ｂのその他の構成の詳細な説明は省略する。
【００９０】
水中トレーニング・リハビリ運動器具１０Ｂは、その平面形状が略半円形に成形された所定面積の抵抗ベース１１と、抵抗ベース１１につながるハンドグリップ１２とを有する。抵抗ベース１１の面積は、図１の抵抗ベース１１のそれと同一であり、３０００〜５２００ｃｍ２の範囲にある。抵抗ベース１１の縦方向下方（下部）には、手挿入開口１８が形成されている。抵抗ベース１１の前面１３の縦方向下方（下部）には、横方向へ延びる第１バンド１９が取り付けられ、抵抗ベース１１の前面１３の縦方向中央（中央部）には、横方向へ延びる第２バンド２１が取り付けられている。
【００９１】
第１〜第３開口エリア１５ａ〜１５ｃは、抵抗ベース１１の縦方向上方（上部）に形成され、抵抗ベース１１の外周縁１７近傍からハンドグリップ１２に向かって縦方向へ延びている。第１開口エリア１５ａは、抵抗ベース１１の中央の縦方向上方（上部）に開口している。第２および第３開口エリア１５ｂ，１５ｃは、抵抗ベース１１の縦方向上方であって第１開口エリア１５ａの横方向両側（抵抗ベース１１の側部）に開口している。
【００９２】
第１開口エリア１５ａは、その平面形状が縦方向へ長い四角形を有する。第２および第３開口エリア１５ｂ，１５ｃは、抵抗ベース１１の外周縁１７に沿って第１開口エリア１５ａから等間隔離間して横方向外側に並び、抵抗ベース１１を横方向へ二分する仮想縦中心線Ｌに対して対称に位置している。第２および第３開口エリア１５ｂ〜１５ｃは、その平面形状が略四角形を有し、その上縁が抵抗ベース１１の外周縁１７に沿って湾曲している。
【００９３】
第２および第３開口エリア１５ｂ，１５ｃは、それらの全開時の開口面積の大きさが同一である。それら開口エリア１５ａ〜１５ｃの全開時の開口面積の大きさは、第２および第３開口エリア１５ｂ，１５ｃのそれが第１開口エリア１５ａのそれよりも大きく、第２および第３開口エリア１５ｂ，１５ｃ＞第１開口エリア１５ａである。
【００９４】
第１〜第３開口エリア１５ａ〜１５ｃを閉鎖（全閉）することで、抵抗ベース１１に作用する水圧の強さが最大になり、第１〜第３開口エリア１５ａ〜１５ｃを開放（全開）することで、抵抗ベース１１に作用する水圧の強さが最小になる。第１開口エリア１５ａを開放することで、抵抗ベース１１の中央に作用する水圧が軽減され、第２および第３開口エリア１５ｂ，１５ｃを開放することで、抵抗ベース１１の両側に作用する水圧が軽減される。
【００９５】
第１開口エリア１５ａの開口面積は、抵抗ベース１１の面積（前面１３の面積または後面１４の面積）に対して５〜８％の範囲にあり、第２および第３開口エリア１５ｂ，１５ｃの開口面積は、抵抗ベース１１の面積（前面１３の面積または後面１４の面積）に対して１０〜２５％の範囲にある。第１開口エリア１５ａの開口面積が抵抗ベース１１の面積の５％未満であって第２および第３開口エリア１５ｂ，１５ｃの開口面積がベース１１の面積の１０％未満では、各開口エリア１５ａ〜１５ｃを開閉したとしても、抵抗ベース１１に作用する水圧の強さを所期するそれに増減することが難しい。
【００９６】
第１開口エリア１５ａの開口面積が抵抗ベース１１の面積の８％を超過し、第２および第３開口エリア１５ｂ，１５ｃの開口面積がベース１１の面積の２５％を超過すると、各開口エリア１５ａ〜１５ｃを開閉したときに、閉鎖された開口エリア１５ａ〜１５ｃが存在する抵抗ベース１１の部位と開放された開口エリア１５ａ〜１５ｃが存在する抵抗ベース１１の部位との水圧の差が必要以上に大きくなり、使用中に運動器具１０Ｂが水中で横ぶれしたり回転する場合があり、運動器具１０Ｂを前後方向へ正確に揺動させることができない場合がある。また、各開口エリア１５ａ〜１５ｃを開放（全開）したときに、抵抗ベース１１に作用する水圧が弱く、使用者の腕に負荷をかけることができない。
【００９７】
抵抗ベース１１の第１開口エリア１５ａに対向する外周縁１７には、図２０に示すように、開口エリア１５ａの縦方向先端につながって外周縁１７から縦方向外方へ向かって開口する第１スリット２３ａが形成され、抵抗ベース１１の第２開口エリア１５ｂに対向する外周縁１７には、開口エリア１５の縦方向先端につながって外周縁１７から縦方向外方へ向かって開口する第２スリット２３ｂが形成されている。抵抗ベース１１の第３開口エリア１５ｃに対向する外周縁１７には、開口エリア１５ｃの縦方向先端につながって外周縁１７から縦方向外方へ向かって開口する第３スリット２３ｃが形成されている。
【００９８】
第１開口エリア１５ａの縦方向下方には、開口エリア１５ａの開放時に第１抵抗可変プレート１６ａを収容する第１収容エリア２４ａが形成され、第２開口エリア１５ｂの縦方向下方には、開口エリア１５ｂの開放時に第２抵抗可変プレート１６ｂを収容する第２収容エリア２４ｂが形成されている。第３開口エリア１５ｃの縦方向下方には、開口エリア１５ｃの開放時に第３抵抗可変プレート１６ｃを収容する第３収容エリア２４ｃが形成されている。第１〜第３収容エリア２４ａ〜２４ｃは、抵抗ベース１１の前後面１３，１４の間に画成された空間である。
【００９９】
第１〜第３開口エリア１５ａ〜１５ｃと第１〜第３収容エリア２４ａ〜２４ｃとを囲繞する縦方向側縁には、第１〜第３抵抗可変プレート１６ａ〜１６ｃの両側縁２５を支持してそれら可変プレート１６ａ〜１６ｃを摺動可能にスライドさせる案内レール２６が作られている（図８，９援用）。案内レール２６には、縦方向へ交互に並ぶ複数の凸部２７および凹部２８が作られている。
【０１００】
抵抗ベース１１の前面１３における外周縁１７には、外周縁１７の湾曲形状に沿って前面１３から前後方向前方へ延びる第１抵抗フランジ２９が作られ、抵抗ベース１１の後面１４における外周縁１７には、外周縁１７の湾曲形状に沿って後面１４から前後方向後方へ延びる第２抵抗フランジ３０が作られている。第１抵抗フランジ２９は、図２０に示すように、横方向に向かって前後方向前方と前後方向後方とへ弧を画くように波状に起伏を繰り返し、第２抵抗フランジ３０は、横方向に向かって前後方向前方と前後方向後方とへ弧を画くように波状に起伏を繰り返している。抵抗ベース１１の前面１３には、縦方向へ延びる複数の補強リブ３１が作られ、抵抗ベース１１の後面１４には、縦方向へ延びる複数の補強リブ３２が作られている。
【０１０１】
第１抵抗可変プレート１６ａは、第１開口エリア１５ａの平面形状と同形であり、その面積（大きさ）が開口エリア１５ａのそれよりもわずかに大きい。第２および第３抵抗可変プレート１６ｂ，１６ｃは、第２および第３開口エリア１５ｂ，１５ｃの平面形状と同形であり、その面積（大きさ）が開口エリア１５ｂ，１５ｃのそれよりもわずかに大きい。第１〜第３抵抗可変プレート１６ａ〜１６ｃには、操作摘み３３が設置されている。第１〜第３抵抗可変プレート１６ａ〜１６ｃは、その両側縁２５に形成されて側縁２５から横方向外方へ凸となる凸部３４と、凸部３４を横方向外方へ付勢する板ばね３５（付勢手段）とを有する（図９援用）。板ばね３５は、運動器具１０Ａのそれと同一である。
【０１０２】
第１〜第３抵抗可変プレート１６ａ〜１６ｃは、第１〜第３開口エリア１５ａ〜１５ｃおよび第１〜第３収容エリア２４ａ〜２４ｃに形成された案内レール２６にスライド可能（移動可能）に設置され、第１〜第３開口エリア１５ａ〜１５ｃを開閉する。第１〜第３抵抗可変プレート１６ａ〜１６ｃは、第１〜第３開口エリア１５ａ〜１５ｃと第１〜第３収容エリア２４ａ〜２４ｃとの間でそれらを案内レール２６に沿って縦方向へ移動（スライド）させることで、開口エリア１５ａ〜１５ｃの開口面積が全開から全閉まで段階的に可変（変更）される。第１〜第３抵抗可変プレート１６ａ〜１６ｃの移動の態様（移動の手順）は、図１の抵抗可変プレート１６ａ〜１６ｅのそれと同一である。第１〜第３抵抗可変プレート１６ａ〜１６ｃにおける開口面積の変更回数は同一である。
【０１０３】
ハンドグリップ１２は、手挿入開口１８を挟んで抵抗ベース１１の反対側に形成されている。ハンドグリップ１２は、抵抗ベース１１の前面１３の側に位置してハンドグリップ１２の横方向中央から横方向外方へ延びる第１旋回ロッド３７と、抵抗ベース１１の後面１４の側に位置してハンドグリップ１２の横方向中央から横方向外方へ延びる第２旋回ロッド３８とを有する。第１および第２ロッド３７，３８は、運動器具１０Ａのそれらと同一である。
【０１０４】
図２３は、使用状態の一例を示す水中トレーニング・リハビリ運動器具１０Ｂの正面図であり、図２４は、使用状態の他の一例を示す水中トレーニング・リハビリ運動器具１０Ｂの正面図である。図２５は、使用状態の他の一例を示す水中トレーニング・リハビリ運動器具１０Ｂの正面図である。図２３〜図２５では、水の図示を省略している。図２３〜図２５では第１〜第３開口エリア１５ａ〜１５ｃが全閉であるが、第１〜第３開口エリア１５ａ〜１５ｃを全開または所定面積開放して使用する場合の図示は省略する。図２３〜図２５では、前後方向前方を矢印Ｃ１で示し、前後方向後方を矢印Ｃ２で示す。
【０１０５】
水中トレーニング・リハビリ運動器具１０Ｂの使用の一例は、図２３に示すように、第１および第２旋回ロッド３７，３８を横方向へ旋回させた状態で手挿入開口１８に使用者（障害者）がその手４６を挿入し、横長ハンドグリップ４５を手４６で把持して運動器具１０Ｂを手４６で持つ。次に、抵抗ベース１１を水中に入れ、横長ハンドグリップ４５を把持した状態で手首を揺動させ、抵抗ベース１１を水中で前後方向前方と後方とへ連続的に揺動させる。抵抗ベース１１の前面１３と後面１４とが水掻きとなり、抵抗ベース１１の前後面１３，１４に水圧（水の抵抗）が作用し、その水圧（負荷）が使用者の上腕や前腕に作用する。使用者（障害者）は、運動器具１０Ｂの使用中に、操作摘み３３を指で適時し、摘み３３を縦方向上方または下方に動かすことによって第１〜第３抵抗可変プレート１６ａ〜１６ｃをスライドさせ、第１〜第３開口エリア１５ａ〜１５ｃの開口面積を適宜変更することができる。
【０１０６】
なお、運動器具１０Ｂの使用中に第１および第２抵抗フランジ２９，３０が抵抗ベース１１の外周縁１７からの水の逃げを防ぎ、ベース１１が水を捕まえるから、ベース１１に水圧を確実に作用させることができる。また、第１〜第３開口エリア１５ａ〜１５ｃを全閉にして使用する場合、それら開口エリア１５ａ〜１５ｃを塞ぐ第１〜第３抵抗可変プレート１６ａ〜１６ｃに大きな水圧が作用するが、運動器具１０Ｂの使用中に第１〜第３抵抗可変プレート１６ａ〜１６ｃに衝突する水を第１〜第３スリット２３ａ〜２３ｃから抵抗ベース１１の外側に逃がすことができるから、各抵抗可変プレート１６ａ〜１６ｃに作用する水圧を軽減することができ、運動器具１０Ｂの使用中における各抵抗可変プレート１６ａ〜１６ｃの破損や変形を防ぐことができる。
【０１０７】
水中トレーニング・リハビリ運動器具１０Ｂの使用の他の一例は、図２４に示すように、使用者（障害者）がその手４６で縦長ハンドグリップ４７を把持して（握って）運動器具１０Ｂを手４６で持つ。次に、抵抗ベース１１を水中に入れ、縦長ハンドグリップ４７を把持した状態で手首を揺動させ、抵抗ベース１１を水中で前後方向前方と後方とへ連続的に揺動させる。抵抗ベース１１の前面１３と後面１４とが水掻きとなり、抵抗ベース１１の前後面１３，１４に水圧（水の抵抗）が作用し、その水圧（負荷）が使用者の上腕や前腕に作用する。
【０１０８】
水中トレーニング・リハビリ運動器具１０Ｂの使用の他の一例は、図２５に示すように、第１バンド１９と横長ハンドグリップ４６との間に手を挿入するとともに、第２バンド２１と抵抗ベース１１との間に中指を挿入し、第１および第２バンド１９，２１によって使用者（障害者）の手の甲と中指とが運動器具１０Ｂに固定された状態で、抵抗ベース１１を水中に入れ、縦長ハンドグリップ４７を把持した状態で手首を揺動させ、抵抗ベース１１を水中で前後方向前方と後方とへ連続的に揺動させる。抵抗ベース１１の前面１３と後面１４とが水掻きとなり、抵抗ベース１１の前後面１３，１４に水圧（水の抵抗）が作用し、その水圧（負荷）が使用者の上腕や前腕に作用する。
【０１０９】
水中トレーニング・リハビリ運動器具１０Ｂは、使用者が横長ハンドグリップ４５や横長ハンドグリップ４７を手４６で把持し、または、第１および第２バンド１９，２１によって手４６を運動器具１０Ｂに固定し、抵抗ベース１１を水中に入れた状態でベース１１を水中で前後に揺動させることで、ベース１１に所定の水圧（水の抵抗）が作用するから、使用者の上腕全体や前腕全体の筋肉を強化することができることはもちろん、第１〜第３抵抗可変プレート１６ａ〜１６ｃによって横方向へ並ぶ第１〜第３開口エリア１５ａ〜１５ｃの開口面積を全開から全閉まで段階的に可変させることができるから、ベース１１に作用する水圧を部分的に変えることができ、それによって使用者の上腕や前腕の特定の部位に負荷がかかることにより、上腕や前腕の特定の筋肉を個別に強化することができる。
【０１１０】
水中トレーニング・リハビリ運動器具１０Ｂは、第１〜第３抵抗可変プレート１６ａ〜１６ｃによって第１〜第３開口エリア１５ａ〜１５ｃの開口面積を調節することで、使用者の上腕や前腕の特定の部位に個別に負荷をかけることができるから、故障した腕の特定の部位のリハビリを行うことができ、障害者（使用者）の腕の障害が残る特定の部位のリハビリを行うことができる。水中トレーニング・リハビリ運動器具１０Ｂは、抵抗ベース１１を水中で速く揺動させることで、使用者の上腕や前腕の筋肉を一層強化することができるのみならず、ベース１１を水中でゆっくりと揺動させることで、使用者の筋力や故障の程度、障害者（使用者）の障害の程度等のレベルに合わせたトレーニングやリハビリを行うことができる。
【０１１１】
水中トレーニング・リハビリ運動器具１０Ｂは、使用者（障害者）がその手４６で横長ハンドグリップ４５または縦長ハンドグリップ４７を把持することで、使用者が持ち方を変えた状態で運動器具１０Ｂを使用することができ、各スポーツの種類に応じた上腕や前腕のトレーニングを行うことができる。また、リハビリに使用する場合、使用者（障害者）が痛みを感じ難い持ち方を選択することができ、リハビリを無理なく行うことができる。水中トレーニング・リハビリ運動器具１０Ｂは、第１および第２バンド１９，２１によって使用者（障害者）が手４６を開いた状態で手４６が運動器具１０Ａに固定され、手４６の平を開いた状態で運動器具１０Ｂを持つことができるから、横長ハンドグリップ４５や縦長ハンドグリップ４７を把持する以外のスポーツに対応したトレーニングを行うことができ、手の平を開いた状態でリハビリを行うことができる。
【０１１２】
水中トレーニング・リハビリ運動器具１０Ｂは、第２および第３開口エリア１５ｂ，１５ｃを開放することで抵抗ベース１１の両側における水の抵抗を小さくすることができるから、ベース１１の両側に作用する水圧を大きく減少させることができ、腕の筋力の乏しい使用者に合わせたトレーニングやリハビリを行うことができる。
【符号の説明】
【０１１３】
１０Ａ  水中トレーニング・リハビリ運動器具
１０Ｂ  水中トレーニング・リハビリ運動器具
１１    抵抗ベース
１２    ハンドグリップ
１３    前面
１４    後面
１５ａ  第１開口エリア
１５ｂ  第２開口エリア
１５ｃ  第３開口エリア
１５ｄ  第４開口エリア
１５ｅ  第５開口エリア
１６ａ  第１抵抗可変プレート
１６ｂ  第２抵抗可変プレート
１６ｃ  第３抵抗可変プレート
１６ｄ  第４抵抗可変プレート
１６ｅ  第５抵抗可変プレート
１７    外周縁
１８    手挿入開口
１９    第１バンド
２０    バンド固定孔
２２    第２バンド
２１    バンド固定孔
２３ａ  第１スリット
２３ｂ  第２スリット
２３ｃ  第３スリット
２３ｄ  第４スリット
２３ｅ  第５スリット
２４ａ  第１収容エリア
２４ｂ  第２収容エリア
２４ｃ  第３収容エリア
２４ｄ  第４収容エリア
２４ｅ  第５収容エリア
２５    側縁（両側縁）
２６    案内レール
２７    凸部
２８    凹部
２９    第１抵抗フランジ
３０    第２抵抗フランジ
３１    補強リブ
３２    補強リブ
３３    操作摘み
３４    凸部
３５    板ばね（付勢手段）
３６    スリット
３７    第１旋回ロッド
３８    第２旋回ロッド
３９    基端部
４０    旋回軸
４１    先端部
４２    基端部
４３    旋回軸
４４    先端部
４５    横長ハンドグリップ
４６    手
４７    縦長ハンドグリップ
【図１】
2016063893.tif 000003
【図２】
2016063893.tif 000004
【図３】
2016063893.tif 000005
【図４】
2016063893.tif 000006
【図５】
2016063893.tif 000007
【図６】
2016063893.tif 000008
【図７】
2016063893.tif 000009
【図８】
2016063893.tif 000010
【図９】
2016063893.tif 000011
【図１０】
2016063893.tif 000012
【図１１】
2016063893.tif 000013
【図１２】
2016063893.tif 000014
【図１３】
2016063893.tif 000015
【図１４】
2016063893.tif 000016
【図１５】
2016063893.tif 000017
【図１６】
2016063893.tif 000018
【図１７】
2016063893.tif 000019
【図１８】
2016063893.tif 000020
【図１９】
2016063893.tif 000021
【図２０】
2016063893.tif 000022
【図２１】
2016063893.tif 000023
【図２２】
2016063893.tif 000024
【図２３】
2016063893.tif 000025
【図２４】
2016063893.tif 000026
【図２５】
2016063893.tif 000027